(57)【特許請求の範囲】
【請求項１】
基礎コンクリートを打設する際に使用される一対の型枠を高低差をつけて支持するための段付き中間巾止め金具であって、
金具本体と、
この金具本体の端部に設けられて隣接する一方の型枠間に挟着され該金具本体を所定の高さに位置させる挟着部と、
この挟着部に対して金具本体の反対側の端部に設けられ他方の型枠の下端を支持する支持部とを備え、
かつ、前記挟着部を、前記金具本体より薄板で形成したことを特徴とする段付き中間巾止め金具。
【請求項２】
基礎コンクリートを打設する際に使用される一対の型枠を高低差をつけて支持するための段付き中間巾止め金具であって、
金具本体と、
この金具本体の端部に設けられて隣接する一方の型枠間に挟着され該金具本体を所定の高さに位置させる挟着部と、
この挟着部に対して金具本体の反対側の端部に設けられ他方の型枠の下端を支持する支持部とを備え、
かつ、前記金具本体を、所定の高さに吊り下げるための吊下部を備えたものとしたことを特徴とする段付き中間巾止め金具。
【請求項３】
挟着部は、少なくとも片側に一方の型枠に接して金具本体の倒れを規制する規制部を備えていることを特徴とする請求項１または２記載の段付き中間巾止め金具。
【請求項４】
挟着部は、一方の型枠に連通する連結用穴を備えていることを特徴とする１〜３記載の段付き中間巾止め金具。
【請求項５】
挟着部及び支持部は、コンクリート打設後金具本体から切り離されるための分離部を備えていることを特徴とする請求項１〜４記載の段付き中間巾止め金具。
【発明の詳細な説明】
【０００１】
【発明の属する技術分野】
本発明は、基礎コンクリートを打設する際に使用される一対の型枠を高低差をつけて支持するための段付き中間巾止め金具に関する。
【０００２】
【従来の技術】
埋立地や地盤の悪い場所などに基礎工事用コンクリートを打設するには、従来２種類の方法が利用されている。
【０００３】
第１の方法は、地表面に形成された捨てコンクリートの上面全体に防湿基礎コンクリートを成形し、その防湿基礎コンクリートの上部外周などに布基礎コンクリートを成形する方法であり、第２の方法は、前述の防湿基礎コンクリート及び布基礎コンクリートを同時に成形する方法いわゆるベタ基礎コンクリートである。
【０００４】
このベタ基礎コンクリートは、地盤と接する面積が大きく、また、地震、不同沈下、防湿、防虫にすぐれているので、近年多く利用されている。
【０００５】
出願人は、このベタ基礎コンクリートに使用され、対向する２枚のコンクリート型枠を異なる高さに支持するコンクリート型枠の支持金具を実公平６−１８９８６号において開示している。
【０００６】
これは、「高さの異なる高低２箇所に支持部を備え、防湿基礎コンクリートの上に布基礎コンクリートを打設する場合に、所定の間隔で対向する一対の型枠を異なる高さに支持する」ものである。
【０００７】
即ち、図９に示すように、捨てコンクリートの上に基板１を釘等で固定し、この基板１の一端に支持部２を設けてこれに第１の型枠３を支持させている。
【０００８】
また、基板１の他端には支持杆４を立設し、段差に相当する高さに支持部５を設け、支持部５に第２の型枠６の下端を支持させている。
【０００９】
【発明が解決しようとする課題】
ところで、基礎コンクリートの厚さは、寒冷地においては温暖地に比べて厚く形成されるようになっている。このような場合、第１の型枠３と第２の型枠６との段差が大きくなるので、支持杆４を長く製作して支持部５の位置を高く形成しなければならない。
【００１０】
しかしながら、この支持部５に第２の型枠６を支持させた場合、支持杆４には第２の型枠６の重量に起因する矢印Ａ方向のトルクが付加されるので、支持杆４が傾き易く支持部５の高さが低くなる。これにより、第２の型枠６を所定位置に支持できなくなるという問題がある。
【００１１】
これを防止するためには支持杆４を強固に製作しなければならないので、コスト高を招き、重量も増加するので、搬送にも手間がかかるという新たな問題が発生する。
【００１２】
本発明は、上記の事情に鑑みてなされたもので、その目的は、段差の大小に拘わらず一対の型枠を高低差をつけて支持することができる段付き中間巾止め金具を提供するにある。
【００１３】
【課題を解決するための手段】
本発明の請求項１の発明は、実施例において使用する符号を付して説明すると、
基礎コンクリートを打設する際に使用される一対の型枠を高低差をつけて支持するための段付き中間巾止め金具１０であって、
金具本体１１と、
この金具本体１１の端部に設けられて隣接する一方の型枠３間に挟着され該金具本体１１を所定の高さに位置させる挟着部１２と、
この挟着部１２に対して金具本体１１の反対側の端部に設けられ他方の型枠６の下端を支持する支持部１３とを備え、
かつ、挟着部１２を、金具本体１１より薄板で形成したところに特徴を有する。
【００１４】
請求項２の発明は、実施例において使用する符号を付して説明すると、
基礎コンクリートを打設する際に使用される一対の型枠を高低差をつけて支持するための段付き中間巾止め金具１０であって、
金具本体１１と、
この金具本体１１の端部に設けられて隣接する一方の型枠３間に挟着され該金具本体１１を所定の高さに位置させる挟着部１２と、
この挟着部１２に対して金具本体１１の反対側の端部に設けられ他方の型枠６の下端を支持する支持部１３とを備え、
かつ、金具本体１１を、所定の高さに吊り下げるための吊下部２０を備えたものとしたところに特徴を有する。
【００１５】
請求項３の発明は、 挟着部１２は、少なくとも片側に一方の型枠３に接して金具本体１１の倒れを規制する規制部１５，１７を備えているところに特徴を有する。
【００１６】
請求項４の発明は、挟着部１２は、一方の型枠３に連通する連結用穴１６を備えているところに特徴を有する。
【００１７】
請求項５の発明は、挟着部１２及び支持部１３は、コンクリート打設後金具本体１１から切り離されるための分離部１８，１９を備えているところに特徴を有する。
【００１８】
【発明の実施の形態】
以下、本発明の第１の実施例の段付き中間巾止め金具１０につき図１〜図３を参照して説明する。但し、従来例と同一箇所には同一符号を付す。
【００１９】
段付き中間巾止め金具１０は、金具本体１１と、金具本体１１の端部に設けられた挟着部１２と、挟着部１２に対して金具本体１１の反対側の端部に設けられた支持部１３とから構成されている。
【００２０】
金具本体１１は上下の端部を直角に折り曲げて補強用のリブ１４を形成しており、これの挟着部１２側の端部を規制部１５としている。
【００２１】
挟着部１２は金具本体１１より薄板で形成され、金具本体１１の端部にスポット溶接で一体に固着されている。この挟着部１２は、後述するように隣接する一方の型枠３（以下第１の型枠３と云う）間に挟着されるもので、その巾寸法は、第１の型枠３の厚さに対応している。また、中央部には第１の型枠３の連結用３ａ（図９参照）に連通する穴１６が形成されている。この穴１６は円形でも水平方向に長い長穴であっても良い。
【００２２】
また、挟着部１２の端部には、Ｌ字状の規制部としての規制片１７が溶着されている。さらに、挟着部１２の規制部１５側の端部には、縦方向にミシン目状の分離部１８が形成されている。
【００２３】
支持部１３は、一対の立上り片１３ａ、１３ｂが形成されて全体として上部が開放するコ字状をなしている。この一対の立上り片１３ａ、１３ｂの間隔は、一方の型枠６（以下第２の型枠６という）の厚さ寸法に対応している。そして、端部がリブ１４の上端に溶接されている。 また、立上り片１３ａの近傍にはＶ字状の切り込みからなる分離部１９が形成されている。
【００２４】
この支持部１３と挟着部１２間の距離が両型枠３，６間の間隔に相当するもので、支持部１３の溶接位置を変化させることにより、この距離を変化させることができる。
【００２５】
尚、本実施例においては、支持部１３と金具本体１１を別体で構成し、溶接により一体化したが、支持部１３と金具本体１１を一体に製作しても良い。
【００２６】
つぎに上記構成の作用について説明する。
第１の型枠３及び第２の型枠６には、側面部に所定の間隔（ｈ）で連結用の穴３ａ（３ａのみ図示）が複数個形成されている。
【００２７】
そして、隣接する第１の型枠３及び第２の型枠６同士を連結用の穴を貫通したピン７により連結している。
【００２８】
作業に先立って基礎コンクリートの厚さ即ち所望の段差に相当する穴３ａを選択する（段差はｈの整数倍に設定される）。
【００２９】
つぎに、隣接する第１の型枠３間に中間巾止め金具１０の挟着部１２を挟み、穴１６を穴３ａに連通させ、ピン７を貫通させて連結する。
【００３０】
この場合、規制片１７及びリブ１４側の規制部１５が第１の型枠３に接する。そこで、挟着部１２を挟んで隣接する第１の型枠３間をピン７により固定する（図３参照）。
【００３１】
つぎに、支持部１３の上に第２の型枠６を載置すれば、型枠が完成する。そこで、コンクリートを打設する。
【００３２】
コンクリートが固化したら、第１の型枠３及び第２の型枠６を取り外す。そして、コンクリートの外側に突出した支持部１３の一対の立上り片１３ａ、１３ｂを分離部１９から切り離し、さらに、挟着部１２を分離部１８から切り離す。これによりコンクリートの上面には突出物は存在しないので、安全性が向上する。
【００３３】
上記実施例によれば、つぎの効果を奏する。
（１）基礎コンクリートの厚さが異なる場合であっても、第１の型枠３の連結用の穴３ａを適宜に選択することにより、１種類の中間巾止め金具１０で対応することができる。
（２）挟着部１３に規制部１５，１７を設けたので、この規制部１５，１７が型枠３の側面に衝止して中間巾止め金具１０の倒れを防止できて支持部１３の高さを一体に保持できる。
（３）挟着部１３は薄片で形成されているので、隣接する第１の型枠３間の隙間を小さくすることができ、打設されたコンクリートの洩れやトロの流出を防止できる。
（４）挟着部１２及び支持部１３に分離部１８，１９を設けたので、型枠３，６を取り外した後、挟着部１２及び支持部１３を取り除くことができて、コンクリートの上面には突出物は存在せず、安全性を向上させることができる。
【００３４】
次に、図４は本発明の第２の実施例の中間巾止め金具１０を示すもので、中間巾止め金具１０との相違は、金具本体１１に対して、挟着部２２及び支持部２３の取付角度αを（α＜９０度）に設定しているものである。
【００３５】
この中間巾止め金具１０によれば、支持部２３の高さは、挟着部２２の上端よりもｈ１だけ低くなるので、段差は｛（ｈの整数倍）−ｈ１｝に設定することができ、段差が（ｈの整数倍）と異なる場合に適応できる。
この第２の実施例においても、第１の実施例と同様の効果を奏するものである。
【００３６】
なお、本発明は上記実施例に限定されるものではなく、適宜変更して適用できるものであり、例えば図５に示すように、ピン７により金具本体１１を固定するための穴１６をなくすと共に、規制片１７に吊下部２０となる穴２０を設けて、この穴２０に対して型枠３の上部より吊り下げることにより金具本体１１を所定位置に挟着するようにしてもよい。
【００３７】
また、規制部１５（規制片１７）は、図１の如く必ずしも左右両側にある必要はなく、図６又は図７に示すように何れか一方に、或いは図８に示すように両方の規制部１５をなくして規制片１７のみにしてもよく、要は金具本体１１が傾斜や捻れを生じることなく型枠３に挟着されるようになっていれば良いものである。
【００３８】
【発明の効果】
本発明は、基礎コンクリートを打設する際に使用される一対の型枠を高低差をつけて支持するための段付き中間巾止め金具であって、金具本体と、この金具本体の端部に設けられ隣接する一方の型枠間に挟着され該金具本体を所定の高さに位置させる挟着部と、この挟着部に対して金具本体の反対側の端部に設けられ他方の型枠の下端を支持する支持部とを備え、挟着部１２を、金具本体１１より薄板で形成したので、段差の大小に拘わらず一対の型枠を高低差をつけて支持することができるため、基礎コンクリートの厚さが異なる場合であっても、１種類の中間巾止め金具で対応することができるという優れた効果を奏するものである。
【図面の簡単な説明】
【図１】  本発明の第１の実施例の段付き中間巾止め金具の斜視図である。
【図２】  基礎コンクリートを打設する状態の正面図である。
【図３】  図２においてIII−III線に沿った断面図である。
【図４】  第２の実施例において基礎コンクリートを打設する状態の正面図である。
【図５】  第３の実施例であって吊下部を備えた段付き中間巾止め金具の斜視図である。
【図６】  第４の実施例を示す段付き中間巾止め金具の斜視図である。
【図７】  第５の実施例を示す段付き中間巾止め金具の斜視図である。
【図８】  第６の実施例を示す段付き中間巾止め金具の斜視図である。
【図９】  従来の支持具の斜視図である。
【符号の説明】
３  第１の型枠（一方の型枠）
６  第２の型枠（他方の型枠）
１０  中間巾止め金具
１１  金具本体
１２  挟着部
１３  支持部
１３ａ立上り片
１３ｂ立上り片
１４  導入部
１５  規制部
１６  穴
１７  規制片（規制部）
１８  分離部
１９  分離部
２０  吊下部
【図１】
0004676115.tif 000002
【図２】
0004676115.tif 000003
【図３】
0004676115.tif 000004
【図４】
0004676115.tif 000005
【図５】
0004676115.tif 000006
【図６】
0004676115.tif 000007
【図７】
0004676115.tif 000008
【図８】
0004676115.tif 000009
【図９】
0004676115.tif 000010